(57)【特許請求の範囲】
【請求項１】
円筒状の筒壁(6) に、縦長孔(7) を開口した内筒体(1) と、該内筒体(1) に、相互回動自在かつ抜き出し不能に外装組付けされる円筒形状の周壁(8) 内周面に螺旋溝(9) を刻設し、下端が密閉された外筒体(2) と、棒状化粧品が、上方から密に嵌入される有底筒形状の受部(10)の側壁(11)下端部に通気孔(12)を開口すると共に、前記受部(10)の底板(13)から垂下設された脚筒(14)の外周面に、前記縦長孔(7) を貫通して前記螺旋溝(9) に螺合する係合ピン(15)を突設し、前記内筒体(1) 内に昇降変位自在に組付けられる受皿体(3) と、前記外筒体(2) に組付けられる有頂直線円筒形状で、内部上端に前記内筒体(1) の上端開口部を密封するシール体(16)を有するキャップ体(4) と、前記受皿体(3) の受部(10)の側壁(11)下端から一体的に垂下設された短筒形状で弾性変形性に富む弾性筒(17)の外周面に、前記内筒体(1) の内周面に弾接する弾接周条(18)を突設した弾接シール片(5) と、から構成し、前記受部(10)の側壁(11)と前記内筒体(1)との間に、空気が通過できる間隙(30) を形成して成る棒状化粧品繰り出し容器。
【発明の詳細な説明】
【０００１】
【産業上の利用分野】
本発明は、口紅等の固形棒状化粧品の組付けが容易で、当該棒状化粧品の揮発成分の放散を防ぐための気密性に優れた、棒状化粧品の繰り出し容器に関するものである。
【０００２】
【従来の技術】
最近の口紅等の棒状化粧品は、その使用時において使用者が清涼感を得ることができるように、化粧料内に芳香剤を含めた揮発成分を多量に含有するものが多く販売されるようになっている。
【０００３】
この揮発成分を多量に含有する棒状化粧品の収納容器は、当然のことながら、収納している棒状化粧品に含有されている揮発成分のむやみな放散を阻止すべく、充分に高い気密性を持っていなければならない。
【０００４】
しかしながら、この種の棒状化粧品の収納容器は、化粧品を保持する部分と化粧品を収納する部分とを螺合組合せし、この保持する部分との相対回動により化粧品の出入りを達成する構成となっており、また、この棒状化粧品の繰り出し容器である容体を開閉するべく組付けられるキャップは、容体に対して螺合組付けすることは使用性を鑑みた場合に不適当であり、このため単なる嵌め込みによって組付けられている。
【０００５】
【発明が解決しようとする課題】
このように、容体の開閉を達成するキャップの容体への組付け手段が、単なる嵌め込みによる手段に限定されているので、キャップによって容体を密閉するのが難しく、また、例え容体を密閉することができたとしても、このキャップによる容体の密閉保持を長期間にわたって維持することが極めて困難であった。
【０００６】
また、容体自体も、その構成部材が相互回動する組合せ構造となっているので、その化粧品の出入りする開口部以外の部分を気密に構成することが難しく、これがため気密保持能力の劣ったものとならざるをえなかった。
【０００７】
こうした問題に鑑みて創案されたものに、本出願人によって出願され登録された実公平５−６８９６号に開示のものがある。この繰り出し容器は、それまでの棒状化粧品が受皿体に充填して固化させるものであったため、必然的に受皿体の下端を開放状態とし、そのために高い気密性が保てないという問題に鑑み創案されたもので、そのために充填手段によらず、あらかじめ固形化した棒状化粧品を受皿体にその上部から組付けるという手段を採り入れることによって、受皿体の下端に開放部分を形成する必要性をなくし、それによって気密性を高めたものとしている。
【０００８】
また、この従来技術においては、棒状化粧品を保持する受皿体の下部に通気孔を穿設することによって、棒状化粧品をこの受皿体に組み付ける際に、受皿体内の空気が円滑に抜け出得るようにして、棒状化粧品の受皿体に対する組付けを円滑に達成するものとしている。
【０００９】
さらに、その通気孔から揮発成分が放散しないように受皿体の受部（壁部）外周面の下端部と上端部のそれぞれにシールリブを周設して受皿体の外周面に組付く内筒体との間の気密性を維持すると共に、内筒体とその内筒体の下部に組付く外筒体との間にシールリングを設けることによって両者の組付き部分の気密性を維持し、その部分から揮発成分が放散するのを防止している。また、さらにキャップ体の上端部にはシール体を設け、キャップ体と内筒体との間からの揮発成分の放散を未然に防止している。
【００１０】
しかし、この従来技術においても、さらに改善すべき問題が存在する。
その一つは、受皿体の上下両端部にシールリブを周設しているので、棒状化粧品を受皿体に組付ける際に、通気孔から抜け出た空気がそのシールリブの密封効果によって外部へ放出され難く、よって棒状化粧品の受皿体に対する組付けに大きな力を必要とし、組付け操作が円滑に達成されないことである。
【００１１】
また、受皿体の受部外周面に設けたシールリブでは、充分な気密性が得られるとは言えず、従って、棒状化粧品の揮発成分が受皿体の底板の下位に形成される大きな空間部分に放散されてしまうといった問題もある。受皿体は、棒状化粧品を繰り出して使用する度に内筒体内を昇降動するものであり、その都度、シールリブが内筒体の内周面を摺接するため、わずかな成形誤差の発生や磨耗等により、高い気密性を常に保つことは極めて困難だからである。
【００１２】
さらに、内筒体と外筒体との間に設けたシールリングは、密封効果は高いものの、それ自体が独立した単体であるため、その成形および内筒体に対する組付け工程を必要とし、生産性が低下するという問題も併せ持っている。
【００１３】
本発明は、こうした問題に鑑み創案されたもので、棒状化粧品を受皿体に組付ける際の受皿体内の空気を円滑に外部に放出させると共に、気密性を高め、さらに生産工程の簡素化を図ることを技術的課題とし、もって棒状化粧品の組付けが容易で、揮発成分の放散を未然に防止でき、成形が容易で生産性の高い棒状化粧品繰り出し容器を提供することを目的とする。
【００１４】
【課題を解決するための手段】
そのための手段として、内筒体、外筒体、受皿体、キャップ体および弾接シール片とで構成した。
【００１５】
内筒体は、円筒筒状の筒壁に縦長孔を開口したもので、外筒体は、内筒体に相互回動自在かつ抜き出し不能に外装組付けされる円筒形状の周壁内周面に螺旋溝を刻設し、下端が密閉されて構成されている。受皿体は、棒状化粧品が上方から密に嵌入される有底筒形状の受部の側壁下端部に通気孔を開口すると共に、受部の底板から垂下設された脚筒の外周面に、縦長孔を貫通して螺旋溝に螺合する係合ピンを突設し、内筒体内に昇降変位自在に組付けられる。
【００１６】
キャップ体は、外筒体に組付けられる有頂直線円筒形状で、内部上端に内筒体の上端開口部を密封するシール体を有する。そして、弾接シール片は、受皿体の受部の側壁下端から一体的に垂下設された短筒形状で弾性変形性に富む弾性筒の外周面に、内筒体の内周面に弾接する弾接周条を突設したものである。さらに、本発明は、受部の側壁と内筒体との間に、空気が通過できる間隙を形成して構成した。
【００１７】
【作用】
上記構成とした本発明においては、受皿体の受部側壁の下端部に通気孔を形成すると共に、受部の側壁と内筒体との間に空気の通過できる間隙を形成したので、棒状化粧品を受皿体の受部上端から組付ける際に、受部内の空気が通気孔および間隙を通過して外部に容易に抜け出るので、棒状化粧品の受皿体に対する組付けを余分な力を加えることなく円滑に行うことができる。
【００１８】
また、弾接シール片は、受皿体の側壁の下端から、短筒形状で弾性変形性に富む弾性筒を一体的に垂下設し、その弾性筒の外周面に内筒体の内周面に弾接する弾接周条を突設しているので、受皿体に組付けられた棒状化粧品の揮発成分が通気孔を通過して容器の下部から外部に放散しようとしても、この弾接シール片によって確実に阻止される。
【００１９】
この弾接シール片は、弾性変形性に富み、常に内筒体の内周面に弾接するので、棒状化粧品を繰り出す度に受皿体が昇降動し、そのため弾接周条が内筒体の内周面に摺接しても摺接力の大小に対応した弾性変形を行うので、磨耗や損傷の発生が防止される。また、わずかな成形誤差が発生しても弾性変形によってその誤差を補うことができる。従って、長期にわたって高い気密性を維持することができる。
【００２０】
さらに、この弾接シール片は、受皿体に一体設されるので、従来技術におけるシールリングのように、別体成形や余分な組付け工程を必要とすることなく、高い気密性を得ることができる。
【００２１】
なお、通気孔から間隙を通過する揮発成分は、キャップ体の内部上端に設けられたシール体が内筒体の上端開口部を密封しているので、容器の上部から外部に放散されることもない。
【００２２】
なお、本発明にかかる棒状化粧品繰り出し容器の操作は、従来の容器同様に行われる。すなわち、キャップ体を外した状態で外筒体と内筒体とを相互回動させることによって、受皿体は、その係合ピンが縦長孔および螺旋溝にガイドされることにより昇降動し、受皿体に組付けられている棒状化粧品が内筒体上端の上端開口部から繰り出される。
【００２３】
【実施例】
本発明の一実施例を、図１および図２に示す。
内筒体１は、直線円筒形状の上部筒壁２０と、それよりやや小径で鍔片１９を介して当該上部筒壁２０の下端から垂下設されている下部筒壁２１とで成る筒壁６で構成され、この下部筒壁２１には、複数の縦長孔７が穿設されている。
【００２４】
外筒体２は、有底筒形状の回転筒２２、組付筒２３および直線円筒形状の周壁８とを一体に組付けて構成されている。回転筒２２の下端には、端板状に底部２４を連設しており、その上端部内には、上方に突出する形態で組付筒２３を組付け固定し、この組付筒２３のほぼ中央部は外方に断面略コ字状に屈曲された屈曲周条２５を形成している。周壁８は、内筒体１の下部筒壁２１とほぼ等しい長さを有する直線円筒形状であり、その内周面に螺旋溝９が刻設されている。
【００２５】
受皿体３は、有底筒形状で側壁１１と底板１３とで構成され、棒状化粧品が上方から組付く受部１０と、その底板１３から垂下設された筒形状の脚筒１４とで構成される。受部１０の側壁１１下端には等間隔に四つの通気孔１２が形成され、棒状化粧品の受部１０に組付ける際の受部１０内の空気の抜けを可能にしている。側壁１１の内周面には、複数の組付条２６を設け、棒状化粧品の受部１０に対する組付きを強固なものとしている。脚筒１４の下端外周面には二つの係合ピン１５を突設し、縦長孔７を挿通して外筒体２周壁８の螺旋溝９に螺合させている。
【００２６】
弾接シール片５は、受皿体３の受部１０側壁１１の直下から垂下設され，底板１３の周端部と周状溝２８を挟んで対向位置しており、短円筒形状で弾性変形性に富む弾性筒１７と、その外周面下部に突設された弾接周条１８とから構成される。この弾性シール片５の弾接周条１８は、常に内筒体１の内周面に弾性筒１７の弾性変形力によって弾接するもので、また、弾設シール片５の下端面は内筒体１の鍔片１９の上面に当接するものである。
【００２７】
受皿体３の受部１０側壁１１の外周面と内筒体１の外周面との間には、わずかな間隙３０が形成され、通気孔１２から抜けた空気がこの間隙３０を通過して外部に放出できるものとしている。この間隙３０の幅は、棒状化粧品を受皿体３の受部１０に組付ける際に受部１０内に加わる圧力によって受部１０内の加圧空気が抜け出ることができれば良いものであり、ごく小さくて良い。
【００２８】
キャップ体４は、有頂筒形状でその下部が外筒体２の組付筒２３に組付くものである。当該キャップ体４の内部上端には軟質材製のシール体１６を設けており、このシール体１６を内筒体１の上端に密接させることによって棒状化粧品の揮発成分が内筒体１の上端開口部２７から放散するのを未然に阻止している。
【００２９】
【発明の効果】
受皿体の受部側壁の下端部に通気孔を形成すると共に、受部の側壁と内筒体との間に間隙を形成したので、棒状化粧品を受皿体に組付ける際に、受部内の空気が通気孔および間隙を通過して外部に容易に抜け、棒状化粧品の受皿体に対する組付けを容易に行うことができる。
【００３０】
弾接シール片を受皿体の受部の側壁下端から垂下設し、通気孔の直下において、内筒体との間の気密性を弾性変形力を利用して確保しているので、棒状化粧品の揮発成分の容器下部から外部への放散を確実に阻止することができる。
【００３１】
なお、キャップ体の内部上端にシール体を設けたので、揮発成分の容器上部からの放散も確実に阻止される。
【００３２】
弾接シール片は、受皿体に一体設されるので、従来技術におけるシールリングのように、別体成形や余分な組付け工程を必要とすることなく、同様の高い気密性を得ることができるので、生産性が向上する。
【図面の簡単な説明】
【図１】本発明の一実施例を示す正面縦断面図。
【図２】図１の要部を示す拡大断面図。
【符号の説明】
１ ； 内筒体
２ ； 外筒体
３ ； 受皿体
４ ； キャップ体
５ ； 弾接シール片
６ ； 筒壁
７ ； 縦長孔
８ ； 周壁
９ ； 螺旋溝
１０； 受部
１１； 側壁
１２； 通気孔
１３； 底板
１４； 脚筒
１５； 係合ピン
１６； シール体
１７； 弾性筒
１８； 弾接周条
１９； 鍔片
２０； 上部筒壁
２１； 下部筒壁
２２； 回転筒
２３； 組付筒
２４； 底部
２５； 屈曲周条
２６； 組付条
２７； 上端開口部
２８； 周状溝
３０；間隙
【図１】
0003578287.tif 000002
【図２】
0003578287.tif 000003